(57)【特許請求の範囲】
【請求項１】
フック状態を検出するフック検出手段と、
ユーザ操作に応じて音量を調整する音量調整手段と、
前記フック検出手段によるオフフック検出時の内線又は外線ダイヤルトーンの音量を前記音量調整手段からの第１の音量調整入力に従って設定するダイヤルトーン音量設定手段と、
ダイヤル入力後の内線又は外線通話時の受話音量を前記音量調整手段からの第２の音量調整入力に従って設定する受話音量設定手段と、
前記第１の音量調整入力や前記第２の音量調整入力に従って設定を行う前の音量の初期値を、外線である場合と内線である場合とで区別すると共に、ダイヤルトーンの音量である場合と受話音量である場合とでも区別して決定する初期値制御手段と、
を備えたことを特徴とするボタン電話装置。
【請求項２】
前記第１の音量調整入力や前記第２の音量調整入力に従って設定した設定値を、外線である場合と内線である場合とで区別すると共に、ダイヤルトーンの音量である場合と受話音量である場合とでも区別して記憶し、記憶した値を次回前記第１の音量調整入力や前記第２の音量調整入力に従って設定を行う際の初期値とすることを特徴とする請求項１に記載のボタン電話装置。
【請求項３】
前記オフフック検出時に保留又は着信からオフフックされたのか、前記保留又は着信以外の状態からオフフックされたのかを判定する判定手段を有し、
前記ダイヤルトーン音量設定手段は、前記保留又は着信以外の状態からオフフックされた場合に、前記ダイヤル入力までの間に前記音量調整手段からの前記第１の音量調整入力に従って前記内線又は外線ダイヤルトーンの音量を設定することを特徴とする請求項１又は２に記載のボタン電話装置。
【請求項４】
前記受話音量設定手段は、前記保留又は着信状態からオフフックされた場合には、前記音量調整手段からの前記第２の音量調整入力に従って前記内線又は外線通話時の受話音量を設定することを特徴とする請求項３に記載のボタン電話装置。
【請求項５】
前記受話音量設定手段は、前記ダイヤルトーン音量設定手段により前記内線又は外線ダイヤルトーンの音量が設定された後、前記ダイヤル入力後に前記音量調整手段からの前記第２の音量調整入力に従って前記内線又は外線通話時の受話音量を設定することを特徴とする請求項３に記載のボタン電話装置。
【請求項６】
フック状態を検出するフック検出手段と、ユーザ操作に応じて音量を調整する音量調整手段とを有するボタン電話装置の音量調整方法であって、
前記フック検出手段が、オフフックを検出するステップと、
ダイヤルトーン音量設定手段が、前記フック検出手段によるオフフック検出時の内線又は外線ダイヤルトーンの音量を前記音量調整手段からの第１の音量調整入力に従って設定するステップと、
受話音量設定手段が、ダイヤル入力後の内線又は外線通話時の受話音量を前記音量調整手段からの第２の音量調整入力に従って設定するステップと、
を含み、
前記第１の音量調整入力や前記第２の音量調整入力に従って設定を行う前の音量の初期値を、外線である場合と内線である場合とで区別すると共に、ダイヤルトーンの音量である場合と受話音量である場合とでも区別して決定することを特徴とする音量調整方法。
【請求項７】
コンピュータを、
フック状態を検出するフック検出手段と、
ユーザ操作に応じて音量を調整する音量調整手段と、
前記フック検出手段によるオフフック検出時の内線又は外線ダイヤルトーンの音量を前記音量調整手段からの第１の音量調整入力に従って設定するダイヤルトーン音量設定手段と、
ダイヤル入力後の内線又は外線通話時の受話音量を前記音量調整手段からの第２の音量調整入力に従って設定する受話音量設定手段と、  前記第１の音量調整入力や前記第２の音量調整入力に従って設定を行う前の音量の初期値を、外線である場合と内線である場合とで区別すると共に、ダイヤルトーンの音量である場合と受話音量である場合とでも区別して決定する初期値制御手段と、
して機能させるためのプログラム。
【発明の詳細な説明】
【技術分野】
【０００１】
本発明は、ボタン電話装置及びその受話音量とダイヤルトーンの音量を調整する音量調整方法に関するものである。
【背景技術】
【０００２】
一般に、デジタル多機能電話機では、オフフックすると主装置と通話状態となり、内線を捕捉した場合には主装置が、外線を捕捉した場合には電話局の交換機からデジタル多機能電話機に対してダイヤルトーンが送出される。その後、デジタル多機能電話機から通話相手の電話番号を入力すると、デジタル多機能電話機は主装置を介して通話相手と接続され、通話が可能となる。
【０００３】
デジタル多機能電話機自体はオフフック後から通話状態となっており、ダイヤルトーン鳴動中と通話中を区別する信号も受信できないことからダイヤルトーンの音量と通話時の受話音量を個別に設定することができない。また、トーン検出機能を用いてダイヤルトーンを区別する方法もあるが、ダイヤルトーンの種類によっては検出できない場合があることや検出機能を追加することで構成が複雑化したりコストが増加する。
【０００４】
特許文献１には、コードレス電話装置における子機が充電台から取り上げられると、オフフック操作と判断し、このようなオフフック操作は外線捕捉を示す操作であり、スピーカからの受話音量を４倍にすることが記載されている。
【０００５】
特許文献２には、同様にスピーカの音量やＬＣＤ（液晶表示装置）のコントラストを調整することが記載されている。また、特許文献３には電話機端末毎に周囲環境の騒音の大きさに応じて音量を調整することが記載されている。
【先行技術文献】
【特許文献】
【０００６】
【特許文献１】実開平０６−０４８２５９号公報
【特許文献２】特開平０２−２５０５４６号公報
【特許文献３】特開平０５−２９２１６６号公報
【発明の概要】
【発明が解決しようとする課題】
【０００７】
デジタル多機能電話機等では、ダイヤルトーンの音量と通話時の受話音量に音量差がある場合、ダイヤルトーンは大音量の必要はないが、受話音量は大音量を必要とする場合等ダイヤルトーンの音量と受話音量を個別に調整することが望まれている。特許文献１乃至３には、上述のように受話音量を調整することは記載されているが、ダイヤルトーンの音量と通話時の受話音量を個別に設定することは記載されていない。
【０００８】
本発明の目的は、ダイヤルトーンの音量と通話時の受話音量を個別に設定することが可能なボタン電話装置を提供することにある。
【課題を解決するための手段】
【０００９】
本発明に係るボタン電話装置は、フック状態を検出するフック検出手段と、ユーザ操作に応じて音量を調整する音量調整手段と、前記フック検出手段によるオフフック検出時の内線又は外線ダイヤルトーンの音量を前記音量調整手段からの第１の音量調整入力に従って設定するダイヤルトーン音量設定手段と、ダイヤル入力後の内線又は外線通話時の受話音量を前記音量調整手段からの第２の音量調整入力に従って設定する受話音量設定手段と、前記第１の音量調整入力や前記第２の音量調整入力に従って設定を行う前の音量の初期値を、外線である場合と内線である場合とで区別すると共に、ダイヤルトーンの音量である場合と受話音量である場合とでも区別して決定する初期値制御手段と、を備えたことを特徴とする。
【００１０】
また、本発明に係る音量調整方法は、フック状態を検出するフック検出手段と、ユーザ操作に応じて音量を調整する音量調整手段とを有するボタン電話装置の音量調整方法であって、前記フック検出手段が、オフフックを検出するステップと、ダイヤルトーン音量設定手段が、前記フック検出手段によるオフフック検出時の内線又は外線ダイヤルトーンの音量を前記音量調整手段からの第１の音量調整入力に従って設定するステップと、受話音量設定手段が、ダイヤル入力後の内線又は外線通話時の受話音量を前記音量調整手段からの第２の音量調整入力に従って設定するステップと、を含み、前記第１の音量調整入力や前記第２の音量調整入力に従って設定を行う前の音量の初期値を、外線である場合と内線である場合とで区別すると共に、ダイヤルトーンの音量である場合と受話音量である場合とでも区別して決定することを特徴とする。
【００１１】
また、本発明に係るプログラムは、コンピュータを、フック状態を検出するフック検出手段と、ユーザ操作に応じて音量を調整する音量調整手段と、前記フック検出手段によるオフフック検出時の内線又は外線ダイヤルトーンの音量を前記音量調整手段からの第１の音量調整入力に従って設定するダイヤルトーン音量設定手段と、ダイヤル入力後の内線又は外線通話時の受話音量を前記音量調整手段からの第２の音量調整入力に従って設定する受話音量設定手段と、前記第１の音量調整入力や前記第２の音量調整入力に従って設定を行う前の音量の初期値を、外線である場合と内線である場合とで区別すると共に、ダイヤルトーンの音量である場合と受話音量である場合とでも区別して決定する初期値制御手段と、して機能させることを特徴とする。
【発明の効果】
【００１２】
本発明によれば、ダイヤルトーンの音量と通話時の受話音量を、簡単な構成で個別に設定することが可能となる。
【図面の簡単な説明】
【００１３】
【図１】本発明に係るボタン電話装置の一実施形態を示すブロック図である。
【図２】本発明に係るボタン電話装置の動作を説明するフローチャートである。
【図３】本発明に係るボタン電話装置の動作を説明するフローチャートである。
【図４】本発明に係るボタン電話装置の動作を説明するフローチャートである。
【発明を実施するための形態】
【００１４】
次に、発明を実施するための形態について図面を参照して詳細に説明する。図１は本発明に係るボタン電話装置の一実施形態を示すブロック図である。以下の実施形態では、ボタン電話装置としてデジタル多機能電話機を例に挙げて説明する。本発明は、特に、ダイヤルトーンの鳴動中と通話中の区別ができないデジタル多機能電話装置に好適に使用することができる。
【００１５】
図中１００及び２００は、例えば、３者通話機能、転送機能、電話帳機能等を有するデジタル多機能電話機である。３００はデジタル多機能電話機１００、２００の発着信等を制御する主装置である。図１ではデジタル多機能電話機として１００、２００を示しているが、更に多くのデジタル多機能電話機が主装置３００に接続（収容）されている。
【００１６】
また、４００は局用交換機、５００は一般電話機である。デジタル多機能電話機１００は主装置３００を介して他のデジタル多機能電話機２００、…、等と内線通話を行うことができる。他のデジタル多機能電話機２００、…、等も同様である。また、デジタル多機能電話機１００、２００、…、は、主装置３００と局用交換機４００を介して一般電話機５００等と通話を行うことが可能である。
【００１７】
次に、本発明に係るボタン電話装置の構成について説明する。デジタル多機能電話機１００は、フック状態を検出するフック検出部１０１と、電話番号入力（ダイヤル入力）や受話音量調整を行うためのボタン部１０２と、内線や外線のダイヤルトーンのボリューム設定値であるＤＴ設定値１０５と通話時の受話ボリュームの設定値である受話設定値１０６を記憶する記憶部１０４とを備えている。
【００１８】
ボタン部１０２には、電話番号等を入力する複数のボタンと、受話音量調整用ボタン等が配置されているが、受話音量調整用ボタンには音量を高くするように音量を調整するボタンと、音量を低くするように音量を調整するボタンとが設けられている。音量を高くするように調整するボタンを１回押下する毎に音量は規定量ずつ高くなり、音量を低くするように調整するボタンを１回押下する毎に音量は規定量ずつ低くなる。
【００１９】
また、デジタル多機能電話機１００は、内線や外線のダイヤルトーンや受話音を送出する受話器１０７と、ダイヤルトーンや受話音の音量を設定する受話ボリューム１０８と、デジタル信号をアナログ信号に変換するＣＯＤＥＣ１０９と、主装置３００とのインタフェースを行う回線インタフェース部１１０とを備えている。更に、ボタン電話装置内部のフック検出部１０１、ボタン部１０２、記憶部１０４、受話ボリューム１０８、回線インタフェース１１０等を制御し、ボタン電話機全体を制御する制御部１０３を備えている。デジタル多機能電話機２００、…、等も同様の構成である。
【００２０】
次に、本実施形態の動作を図２乃至図４のフローチャートを参照して説明する。図２から図４は本実施形態の動作を説明するフローチャートであるが、フロー内に示す丸付きの数字は処理の移行先を示す。例えば、図２の（４）から図３の（４）に続き、図２の（３）から図４の（３）に続いている。また、図４の（５）から図２の（５）に続いている。なお、デジタル多機能電話機１００等は、オフフックした際には内線に接続され、オフフックした後に“０”を入力した際には外線に接続される。
【００２１】
デジタル多機能電話機１００が起動すると、制御部１０３は記憶部１０４からＤＴ設定値１０５を読み出し、受話ボリューム１０８に設定する（Ｓ１０１）。フック検出部１０１はフック状態を監視し（Ｓ１０２）、デジタル多機能電話機１００がオフフックされると、フック検出部１０１はオフフックを検出し、制御部１０３はオフフック時の状態（保留又は着信等）を確認する（Ｓ１０３）。つまり、保留又は着信状態からオフフックされたのか、それ以外の状態からオフフックされたのかを判定する。
【００２２】
オフフック時の状態が保留または着信である場合には、Ｓ１１１に進み、制御部１０３は記憶部１０４から受話設定値１０６を読み出して受話ボリューム１０８に設定し（Ｓ１１１）、保留中の相手または着信相手と通話状態となる（Ｓ１１２）。保留はオフフックした際に解除されるものとする。図２のＳ１１２から図３のＳ１１３に進む。
【００２３】
図３のＳ１１３に進むと、制御部１０３はボタン部１０２による受話音量の調整ボタン入力を判定する（Ｓ１１３）。制御部１０３は受話音量を高くするように調整ボタンが押下されると、それに応じて受話ボリューム１０８の設定値を規定量ずつ高くするように制御を行う（Ｓ１１４）。反対に、受話音量を低くするように調整ボタンが押下されると、それに応じて受話ボリューム１０８の設定値を規定量ずつ下げるように制御を行う（Ｓ１１５）。このようにして制御部１０３は受話音量調整入力に従って通話時の受話音量の設定を行う。設定後の受話音量は記憶部１０４の受話設定値１０６に記憶させても記憶させなくても良い。
【００２４】
Ｓ１１３にて受話音量調整ボタンの入力がない場合には（Ｓ１１３がなし）、フック検出部１０１によりデジタル多機能電話機１００のフック状態を検出し（Ｓ１１６）、オンフックを検出すると通話が終了し、図２のＳ１０１に戻る。また、Ｓ１１６でオンフックを検出しない場合にはＳ１１３に戻る。
【００２５】
一方、図２のＳ１０３においてオフフック時の状態が保留または着信でない場合には、制御部１０３は回線インタフェース部１１０を介して主装置３００にオフフック信号を送信し、デジタル多機能電話機１００と主装置３００は通話開始となる（Ｓ１０４）。その際、主装置３００から内線ダイヤルトーンが送出され、回線インタフェース部１１０、ＣＯＤＥＣ１０９、受話ボリューム１０８を介して受話器１０７から内線ダイヤルトーンが送出される（Ｓ１０５）。オフフック時の状態が保留または着信でない場合とは、ユーザが、例えば、発信時に受話器１０７を持ち上げた場合等である。
【００２６】
次に、制御部１０３はボタン部１０２による受話音量調整ボタン入力を判定し（Ｓ１０６）、受話音量を高くするように調整ボタンが押下されると、それに応じて受話ボリューム１０８の設定値を規定量ずつ高くするように制御を行う（Ｓ１０７）。反対に、受話音量を低くするように調整ボタンが押下されると、それに応じて受話ボリューム１０８の設定値を規定量ずつ下げるように制御を行う（Ｓ１０８）。このようして制御部１０３は受話音量調整入力に従い内線ダイヤルトーンの音量設定を行う。設定後の内線ダイヤルトーンの音量は記憶部１０４のＤＴ設定値１０５に記憶させても記憶させなくても良い。
【００２７】
また、Ｓ１０６にて受話音量調整ボタンの入力がない場合には（Ｓ１０６がなし）、制御部１０３はボタン部１０２からのダイヤルボタン入力を判定する（Ｓ１０９）。その際、入力された内線番号の一桁目の番号によって処理が分かれる。例えば、ダイヤルボタン入力の一桁目の番号が“０”の場合は外線通話、ダイヤルボタン入力の一桁目の番号が“０”以外の番号であった場合には内線通話とする。
【００２８】
例えば、デジタル多機能電話機１００のボタン部１０２から通話相手としてデジタル多機能電話機２００の内線番号が入力されたものとする。その場合には、入力された内線番号の一桁目の番号は“０”以外であるため、主装置３００は内線番号入力と判断し、内線ダイヤルトーンの送出を停止する（Ｓ１１０）。ボタン部１０２からのダイヤルボタン入力の際には制御部１０３から回線インタフェース１１０を介して主装置３００にダイヤル信号が送信される。
【００２９】
次いで、制御部１０３は記憶部１０４から受話設定値１０６を読み出して受話ボリューム１０８に設定し（Ｓ１１１）、主装置３００からのダイヤル信号により通話相手であるデジタル多機能電話機２００が応答すると、発信元であるデジタル多機能電話機１００は通話相手であるデジタル多機能電話機２００と通話開始となる（Ｓ１１２）。
【００３０】
次に、図２のＳ１１２から図３のＳ１１３に進み、同様にＳ１１３からＳ１１６の処理を行う。即ち、制御部１０３は受話音量の調整ボタン入力を判定し（Ｓ１１３）、受話音量を高くするように調整ボタンが押下されると、それに応じて受話ボリューム１０８の設定値を規定量ずつ高くするように制御を行い（Ｓ１１４）、受話音量を低くするように調整ボタンが押下されると、それに応じて受話ボリューム１０８の設定値を規定量ずつ下げるように制御を行う（Ｓ１１５）。こうして受話音量の設定を行い、設定後の受話音量は記憶部１０４の受話設定値１０６に記憶させても記憶させなくても良い。
【００３１】
また、Ｓ１１３で受話音量調整ボタンが入力されない場合には（Ｓ１１３がなし）、フック検出部１０１によりデジタル多機能電話機１００のフック状態を検出し（Ｓ１１６）、オンフックを検出すると、同様に通話終了であるため図２のＳ１０１に戻り、オンフックを検出しない場合にはＳ１１３に戻る。
【００３２】
一方、Ｓ１０９においてボタン部１０２から一桁目の番号として外線発信を行うための番号“０”が入力されると、図２のＳ１０９から図４のＳ１１７に進み、主装置３００は外線接続と判断して内線ダイヤルトーンの送出を停止する（Ｓ１１７）。次に、主装置３００は局用交換機４００に接続する（Ｓ１１８）。ボタン部１０２からの番号入力の際には、同様に制御部１０３から回線インタフェース１１０を介して主装置３００にダイヤル信号が送信される。
【００３３】
次いで、局用交換機４００から外線ダイヤルトーンが送出され（Ｓ１１９）、局用交換機４００からの外線ダイヤルトーンは主装置３００から回線インタフェース部１１０、ＣＯＤＥＣ１０９、受話ボリューム１０８を介して受話器１０７に送出される。次に、制御部１０３はボタン部１０２からの受話音量調整ボタン入力を判定する（Ｓ１２０）。
【００３４】
制御部１０３は受話音量を高くするように調整ボタンが押下されると、それに応じて受話ボリューム１０８の設定値を規定量ずつ高くするように制御を行う（Ｓ１２１）。反対に、受話音量を低くするように調整ボタンが押下されると、それに応じて受話ボリューム１０８の設定値を規定量ずつ下げるように制御を行い（Ｓ１２２）、受話音量調整入力に従い外線ダイヤルトーンの音量として設定する。設定後の外線ダイヤルトーンの音量は記憶部１０４のＤＴ設定値１０５に記憶させても記憶させなくても良い。
【００３５】
次に、Ｓ１２０で受話音量調整ボタンの入力がないと、制御部１０３はボタン部１０２からのダイヤルボタン入力を判定する（Ｓ１２３）。ダイヤルボタンが入力されると、、制御部１０３は回線インタフェース部１１０、主装置３００を介して局用交換機４００にダイヤル信号を送出し、局用交換機４００は外線ダイヤルトーンの送出を停止する（Ｓ１２４）。
【００３６】
外線ダイヤルトーンの送出が停止されると、図４のＳ１２４から図２のＳ１１１に進み、制御部１０３は同様に記憶部１０４から受話設定値１０６を読み出して受話ボリューム１０８に設定し（Ｓ１１１）、通話相手と通話開始となる（Ｓ１１２）。例えば、図４のＳ１２３でデジタル多機能電話機１００から一般電話機５００の電話番号が入力され、一般電話機５００が応答すると、デジタル多機能電話機１００は一般電話機５００と通話開始となる。
【００３７】
その後、図２のＳ１１３に進み、制御部１０３は同様にボタン部１０２による受話音量調整ボタン入力を判定する（Ｓ１１３）。受話音量を高くするように調整ボタンが押下されると、それに応じて受話ボリューム１０８の設定値を規定量ずつ高くし（Ｓ１１４）、受話音量を低くするように調整ボタンが押下されると、それに応じて受話ボリューム１０８の設定値を規定量ずつ下げて（Ｓ１１５）、受話音量を設定する。設定後の受話音量は記憶部１０４の受話設定値１０６に記憶させても記憶させなくても良い。
【００３８】
Ｓ１１３で受話音量調整ボタン入力がないと、フック検出部１０１によりデジタル多機能電話機１００のフック状態を検出し（Ｓ１１６）、オンフックを検出すると通話が終了し、図２のＳ１０１に戻る。また、Ｓ１１６でオンフックを検出しない場合にはＳ１１３に戻る。
【００３９】
以上のように本実施形態では、オフフック時に保留又は着信以外の状態からオフフックされた場合には、内線ダイヤルトーン又は外線ダイヤルトーンの送出後、ダイヤルボタンが入力されるまでの間に受話音量調整入力に従ってダイヤルトーンの音量調整を行う。また、ダイヤルボタンの入力後、受話音量調整入力に従って受話音量の設定を行い、設定された音量で通話を行う。
【００４０】
つまり、内線又は外線ダイヤルトーンの送出後、ダイヤル入力までの間に受話音量調整入力に従ってダイヤルトーンの音量調整を行い、ダイヤル入力後、受話音量調整入力に応じて受話音量調整を行うことにより、１つの音量調整入力を利用してダイヤルトーンの音量調整と受話音量調整との２つの音量調整を個別に設定することが可能となる。また、１つの受話音調整用ボタンと１つの受話ボリュームをそのまま用いるだけの簡単な構成でダイヤルトーンの音量設定と受話音設定を個別に行うことが可能となる。また、保留又は着信状態からオフフックされた場合には、音量調整入力に応じて受話音量の設定を行い、設定された受話音量で通話を行う。
【００４１】
なお、以上の実施形態では、内線と外線でダイヤルトーンの音量設定値を同一としているが（図２のＳ１０１）、内線と外線の区別を行うことで、内線と外線でダイヤルトーンの音量設定値を区別して設定することが可能である。また、内線と外線で通話時の受話音量の設定値を同一としているが（図２のＳ１１１）、同様に内線と外線の区別を行うことで、内線と外線で受話音量を区別して設定することが可能である。
【００４２】
また、ダイヤルトーンの音量と受話音量を個別に調整する例を示しているが、同様な方法でイコライザ、エコーキャンセラーの設定も個別に行うことができ、音質についても個別に調整することが可能になる。更に、図１等では主装置３００と局用交換機４００との間が、アナログ回線で接続されている例を示しているが、主装置３００と局用交換機４００との間が、例えば、専用線、ＩＰ回線等で接続されている場合には、回線に応じて受話音量等を設定することが可能である。つまり、主装置と局用交換機との間で回線を接続する際のダイヤル入力を判定して接続する回線を区別することにより、回線による音量或いは音質の調整を細かく設定することも可能となる。
【００４３】
なお、上記ボタン電話装置は、ハードウェア、ソフトウェア又はこれらの組合わせにより実現することができる。ソフトウェアによって実現されるとは、コンピュータがプログラムを読み込んで実行することにより実現されることを意味する。
【００４４】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。
【００４５】
また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４６】
なお、上記実施形態の一部又は全部は、以下の付記のようにも記載されうるが、以下には限らない。
【００４７】
（付記１）フック状態を検出するフック検出手段と、
ユーザ操作に応じて受話音量を調整する音量調整手段と、
前記フック検出手段によるオフフック検出時の内線又は外線ダイヤルトーンの音量を前記音量調整手段からの第１の音量調整入力に従って設定するダイヤルトーン音量設定手段と、
ダイヤル入力後の内線又は外線通話時の受話音量を前記音量調整手段からの第２の音量調整入力に従って設定する受話音量設定手段と、
を備えたことを特徴とするボタン電話装置。
【００４８】
（付記２）前記オフフック検出時に保留又は着信からオフフックされたのか、前記保留又は着信以外の状態からオフフックされたのかを判定する判定手段を有し、
前記ダイヤルトーン音量設定手段は、前記保留又は着信以外の状態からオフフックされた場合に、前記ダイヤル入力までの間に前記音量調整手段からの前記第１の音量調整入力に従って前記内線又は外線ダイヤルトーンの音量を設定することを特徴とする付記１に記載のボタン電話装置。
【００４９】
（付記３）前記受話音量設定手段は、前記保留又は着信状態からオフフックされた場合には、前記音量調整手段からの前記第２の音量調整入力に従って前記内線又は外線通話時の受話音量を設定することを特徴とする付記２に記載のボタン電話装置。
【００５０】
（付記４）前記受話音量設定手段は、前記ダイヤルトーン音量設定手段により前記内線又は外線ダイヤルトーンの音量が設定された後、前記ダイヤル入力後に前記音量調整手段からの前記第２の音量調整入力に従って前記内線又は外線通話時の受話音量を設定することを特徴とする付記２に記載のボタン電話装置。
【００５１】
（付記５）フック状態を検出するフック検出手段と、ユーザ操作に応じて受話音量を調整する受話音量調整手段とを有するボタン電話装置の音量調整方法であって、
前記フック検出手段が、オフフックを検出するステップと、
ダイヤルトーン音量調整手段が、前記フック検出手段によるオフフック検出時の内線又は外線ダイヤルトーンの音量を前記音量調整手段からの第１の音量調整入力に従って設定するステップと、
受話音量調整手段が、ダイヤル入力後の内線又は外線通話時の受話音量を前記音量調整手段からの第２の音量調整入力に従って設定するステップと、
を含むことを特徴とする音量調整方法。
【００５２】
（付記６）前記オフフック検出時に保留又は着信からオフフックされたのか、前記保留又は着信以外の状態からオフフックされたのかを判定する判定手段を有し、
前記ダイヤルトーン音量設定手段は、前記保留又は着信以外の状態からオフフックされた場合に、前記ダイヤル入力までの間に前記音量調整手段からの前記第１の音量調整入力に従って前記内線又は外線ダイヤルトーンの音量を設定することを特徴とする付記５に記載の音量調整方法。
【００５３】
（付記７）前記受話音量設定手段は、前記保留又は着信状態からオフフックされた場合には、前記音量調整手段からの前記第２の音量調整入力に従って前記内線又は外線通話時の受話音量を設定することを特徴とする付記６に記載の音量調整方法。
【００５４】
（付記８）前記受話音量設定手段は、前記ダイヤルトーン音量設定手段により前記内線又は外線ダイヤルトーンの音量が設定された後、前記ダイヤル入力後に前記音量調整手段からの前記第２の音量調整入力に従って前記内線又は外線通話時の受話音量を設定することを特徴とする付記６に記載の音量調整方法。
【００５５】
（付記９）コンピュータを、
フック状態を検出するフック検出手段と、
ユーザ操作に応じて受話音量を調整する音量調整手段と、
前記フック検出手段によるオフフック検出時の内線又は外線ダイヤルトーンの音量を前記音量調整手段からの第１の音量調整入力に従って設定するダイヤルトーン音量設定手段と、
ダイヤル入力後の内線又は外線通話時の受話音量を前記音量調整手段からの第２の音量調整入力に従って設定する受話音量設定手段と、
して機能させるためのプログラム。
【００５６】
（付記１０）前記オフフック検出時に保留又は着信からオフフックされたのか、前記保留又は着信以外の状態からオフフックされたのかを判定する判定手段を有し、
前記ダイヤルトーン音量設定手段は、前記保留又は着信以外の状態からオフフックされた場合に、前記ダイヤル入力までの間に前記音量調整手段からの前記第１の音量調整入力に従って前記内線又は外線ダイヤルトーンの音量を設定することを特徴とする付記９に記載のプログラム。
【００５７】
（付記１１）前記受話音量設定手段は、前記保留又は着信状態からオフフックされた場合には、前記音量調整手段からの前記第２の音量調整入力に従って前記内線又は外線通話時の受話音量を設定することを特徴とする付記１０に記載のプログラム。
【００５８】
（付記１２）前記受話音量設定手段は、前記ダイヤルトーン音量設定手段により前記内線又は外線ダイヤルトーンの音量が設定された後、前記ダイヤル入力後に前記音量調整手段からの前記第２の音量調整入力に従って前記内線又は外線通話時の受話音量を設定することを特徴とする付記１０に記載のプログラム。
【産業上の利用可能性】
【００５９】
本発明は、特に、ダイヤルトーンの鳴動中と通話中の区別ができないデジタル多機能電話装置等に好適に使用することができる。
【符号の説明】
【００６０】
１００、２００  デジタル多機能電話機
１０１  フック検出部
１０２  ボタン部
１０３  制御部
１０４  記憶部
１０５  ＤＴ設定値
１０６  受話設定値
１０７  受話器
１０８  受話ボリューム
１０９  ＣＯＤＥＣ
１１０  回線インタフェース部
３００  主装置
４００  局用交換機
５００  一般電話機
【図１】
0005794621.tif 000002
【図２】
0005794621.tif 000003
【図３】
0005794621.tif 000004
【図４】
0005794621.tif 000005